(57)【要約】【課題】スカートガードの水平方向の調整を容易に行うことのできる乗客コンベアの提供。【解決手段】無端状に連結されて枠１内を循環移動する踏段２の両側に対向し、前記踏段２との間に間隙を有して踏段２の移動方向に沿って連続的に配置された複数のスカートガード６と、枠１に取付けられ、スカートガード６の上部を支持する第１の支持部材８と、枠１に取付けられ、スカートガード６の下部を水平方向に変位可能に支持する第２の支持部材９とを備えた乗客コンベアにおいて、スカートガード６の下部裏面側とこのスカートガード６の下部裏面側に対向する枠１との間に、両端がそれぞれスカートガード６の下部裏面側と枠１とに当接し、任意に伸縮可能な伸縮体１３を有する。【選択図】  図１
2016074501.tif 000002
【特許請求の範囲】
【請求項１】
枠と、無端状に連結されて前記枠内を循環移動する踏段と、前記踏段の両側に対向し、前記踏段との間に間隙を有して前記踏段の移動方向に沿って連続的に配置された複数のスカートガードと、前記枠に取付けられ、前記スカートガードの上部を支持する第１の支持部材と、前記枠に取付けられ、前記スカートガードの下部を水平方向に変位可能に支持する第２の支持部材とを備えた乗客コンベアにおいて、
前記スカートガードの下部裏面側と前記スカートガードの下部裏面側に対向する前記枠との間に、両端がそれぞれ前記スカートガードの下部裏面側と前記枠とに当接し、任意に伸縮可能な伸縮体を有することを特徴とした乗客コンベア。
【請求項２】
前記伸縮体は、着脱自在であることを特徴とした請求項１に記載の乗客コンベア。
【請求項３】
前記伸縮体は、その一端側に、一方向に切られる第１のねじ山を有すると共に、その他端側に、他方向に切られる第２のねじ山を有する筒部と、前記筒部の両端にそれぞれ螺合される伸縮部とを有し、前記筒部を回動させることによりその全長寸法を変動させることを特徴とした請求項１に記載の乗客コンベア。
【請求項４】
前記伸縮体は、その両端にゴムヘッドを備えたことを特徴とする請求項１に記載の乗客コンベア。
【発明の詳細な説明】
【技術分野】
【０００１】
本発明は、乗客コンベアに関する。
【背景技術】
【０００２】
踏段の両側に対向し、前記踏段との間に間隙を有して踏段の移動方向に沿って連続的に配置された複数のスカートガードの水平方向の調整を容易に行うことのできるようにしたものとして、特許文献１に記載されるものがある。この特許文献１には、無端状に連結されて枠内を循環移動する踏段の両側に対向し、踏段の移動方向に沿って連続的に配置された複数のスカートガードと、これらのスカートガードの下部を枠側に固定する下部スカートベースとを備えた乗客コンベアの欄干において、枠側にスカートベースクリップを設け、このスカートベースクリップで下部スカートベースの水平辺を把持しスカートガードの下部を枠側に固定する、と記載されている。そして、このように構成される乗客コンベアの欄干装置は、スカートベースクリップと下部スカートベースの位置を再調整したり、スカートガードの下部をたたくといった方法でその水平方向の微調整を行う。
【先行技術文献】
【特許文献】
【０００３】
【特許文献１】特開２０１０−７６８６０号公報
【発明の概要】
【発明が解決しようとする課題】
【０００４】
ところで、踏段とスカートガードとの間隙寸法は０．５〜３ｍｍに設定する必要があり、水平方向の微調整が求められるが、前述した特許文献１に記載される乗客コンベアの欄干装置では、スカートベースクリップと下部スカートベースの位置調整に多大な時間を要したり、スカートガードの下部をたたいた際、力の加減によってはスカートガードが大きく変位してしまうことがあり、作業に熟練を要するという課題があった。特に、エスカレータにあっては、製作段階においてＲ部のスカートガードの精度を出すのが難しく、撓みが生じることがあり、水平方向の微調整がさらに難しかった。
【０００５】
本発明は、前述した従来技術における実状からなされたもので、その目的は、スカートガードの水平方向の調整を容易に行うことのできる乗客コンベアを提供することにある。
【課題を解決するための手段】
【０００６】
前記目的を達成するために、本発明は、枠と、無端状に連結されて前記枠内を循環移動する踏段と、前記踏段の両側に対向し、前記踏段との間に間隙を有して前記踏段の移動方向に沿って連続的に配置された複数のスカートガードと、前記枠に取付けられ、前記スカートガードの上部を支持する第１の支持部材と、前記枠に取付けられ、前記スカートガードの下部を水平方向に変位可能に支持する第２の支持部材とを備えた乗客コンベアにおいて、前記スカートガードの下部裏面側と前記スカートガードの下部裏面側に対向する前記枠との間に、両端がそれぞれ前記スカートガードの下部裏面側と前記枠とに当接し、任意に伸縮可能な伸縮体を有することを特徴としている。
【発明の効果】
【０００７】
本発明によれば、スカートガードの下部裏面側とこのスカートガードの下部裏面側に対向する枠との間に設けられる伸縮体を伸縮させることにより、スカートガードの水平方向の調整を容易に行うことができ、これによって、踏段とスカートガードとの間隙寸法を容易に所定の値にすることができる。
【図面の簡単な説明】
【０００８】
【図１】本発明の乗客コンベアの一実施の形態を示す構成図である。
【図２】本実施の形態における伸縮体の正面図である。
【発明を実施するための形態】
【０００９】
本発明の実施例を、図面を参照しながら説明する。尚、各図において、同一又は類似の構成要素には同じ符号を付し、説明を省略する。
【００１０】
図１は、本発明の乗客コンベアの一実施の形態を示す構成図である。乗客コンベアは、図１に示すように、トラス構造等の複数の梁で構成され、乗客コンベアの重量及び乗客重量を支持する枠１と、無端状に連結されて枠１内を循環移動する踏段２と、欄干装置３とを有している。
【００１１】
欄干装置３は、踏段２の両側に立設され乗客コンベアの欄干の主体を成す欄干パネル４と、踏段２と同期して循環移動する移動手摺５と、踏段２との間に間隙ｈを有して踏段２の移動方向に沿って連続的に配置された複数のスカートガード６と、欄干パネル４の下辺部からスカートガード６の上辺部までを覆う内デッキ７と、枠１に取付けられ、欄干パネル４、スカートガード６の上部および内デッキ７を支持する第１の支持部材８と、枠１に取付けられ、復路側の移動手摺５及びスカートガード６の下部を支持する第２の支持部材９と、スカートガード６の裏面に設けられるばね係止部１０と、第２の支持部材９にボルト１１ａを介して取付けられるスカートベースクリップ１１と、Ｌ字の断面形状を有し、その垂直辺１２ａがばね係止部１０に嵌合されるとともに、その水平辺１２ｂがスカートベースクリップ１１に把持される下部スカートベース１２と、スカートガード６の下部裏面側とこのスカートガード６の下部裏面側に対向する枠１との間に着脱自在に介設され、両端がそれぞれスカートガード６の下部裏面側と枠１とに当接し、任意に伸縮可能な伸縮体１３とを備えている。
【００１２】
図２は、本実施の形態における伸縮体の正面図である。伸縮体１３は、図２に示すように、その一端側に、一方向に切られる第１のねじ山１３ａを有すると共に、その他端側に、他方向に切られる第２のねじ山１３ｂを有する筒部１３ｃと、この筒部１３ｃの両端にそれぞれ螺合される伸縮部１３ｄ、１３ｅと、伸縮部１３ｄ、１３ｅの端部に取付けられるゴムヘッド１３ｆとを有し、筒部１３ｃを回動させることによりその全長寸法を変動させるようになっている。
【００１３】
本実施の形態にあっては、スカートベースクリップ１１のボルト１１ａを緩めた状態で、下部スカートベース１２の水平辺１２ｂを第２の支持部材９とスカートベースクリップ１１との間に挟み込み、この状態からボルト１１ａを締結することでスカートガード６の下部を固定する。次いで、伸縮体１３をスカートガード６の下部裏面側とこのスカートガード６の下部裏面側に対向する枠１との間に介設する。このとき、例えば、踏段２とスカートガード６との間の間隙ｈを所定の寸法より若干広くなるように、スカートガード６の下部を枠１方向に寄せ気味に固定すると共に、伸縮体１３の全長寸法を短めとして置く。この状態から、踏段２とスカートガード６との間の間隙ｈを所定の値とするため、伸縮体１３の筒部１３ｃを回動し、伸縮部１３ｄ、１３ｅを変位させ、伸縮体１３の全長寸法を長くしつつスカートガード６の水平方向の微調整を行う。前述したように、本実施の形態のスカートガード６の下部は、下部スカートベース１２を介してスカートベースクリップ１１により遊動可能に固定される構造であることから、伸縮体１３の全長寸法を変動させることでスカートガード６下部をも変位させることが可能である。なお、乗客コンベアの据付け時には踏段２は少なくともその一部が装着されていないので、踏段未装着位置に開口が形成された状態であり、この開口を作業スペースとして伸縮体１３の取付け、調整作業を行うことができる。
【００１４】
本実施の形態によれば、スカートガード６の下部裏面側とこのスカートガード６の下部裏面側に対向する枠１との間に介設される伸縮体１３を伸縮させることにより、スカートガード６の水平方向の調整を容易に行うことができ、これによって、踏段とスカートガードとの間隙寸法ｈを容易に所定の値にすることができる。特に、エスカレータにあっては、製作段階においてＲ部のスカートガードの精度を出すのが難しく、撓みが生じることがあるが、このような撓みが生じたスカートガードでも、伸縮体１３を伸縮させることでその製作誤差を吸収し、水平方向の微調整を容易に行うことができる。
【００１５】
また、伸縮体１３は、着脱自在であり、必要に応じて伸縮体１３を取付けてスカートガード６の水平方向の調整を行うことができ、既存の乗客コンベアにも適用できると共に、必要時にのみ装着することでコストの低減を図ることができる。
【００１６】
さらに、伸縮体１３は、その一端側に、一方向に切られる第１のねじ山１３ａを有すると共に、その他端側に、他方向に切られる第２のねじ山１３ｂを有する筒部１３ｃと、この筒部１３ｃの両端にそれぞれ螺合される伸縮部１３ｄ、１３ｅとを有し、筒部１３ｃを回動させることによりその全長寸法を変動させるものとすることで、比較的な簡易な構造とし、これによって、低コストの装置とすることができる。
【００１７】
また、伸縮体は、その両端にゴムヘッド１３ｆを備えたことにより、伸縮体１３をスカートガード６の下部裏面側とこのスカートガード６の下部裏面側に対向する枠１との間に介設した際、滑り落ちることを防止し、作業性の向上を図ることができる。
【００１８】
以上、本発明の実施例を説明してきたが、これまでの各実施例で説明した構成はあくまで一例であり、本発明は、技術思想を逸脱しない範囲内で適宜変更が可能である。
【符号の説明】
【００１９】
１  枠
２  踏段
３  欄干
４  欄干パネル
５  移動手摺
６  スカートガード
７  内デッキ
８  第１の支持部材
９  第２の支持部材
１０  ばね係止部
１１  スカートベースクリップ
１２  下部スカートベース
１３  伸縮体
１３ａ  第１のねじ山
１３ｂ  第２のねじ山
１３ｃ  筒部
１３ｄ、１３ｅ  伸縮部
１３ｆ  ゴムヘッド
【図１】
2016074501.tif 000003
【図２】
2016074501.tif 000004